(57)【要約】【課題】  糸取付部材に簡単な改良を施すことで、穂先竿の短縮化を達成して、釣り操作を行い易く、抜き上げ力の大きな釣り竿を提供する。【解決手段】  糸取付部材４を、穂先竿２の竿先端に取り付け固定してある保持用ホルダー５で、回動自在に保持してある。穂先竿２を二番竿７内に収納した状態で、糸取付部４Ａが二番竿７の外方に位置し穂先竿の竿尻端が二番竿７の竿尻端より穂先側に位置するように、保持用ホルダー５に受止リング部５Ｄを外嵌固定して、その受止リング部５Ｄを二番竿７の竿先端面７ａで受止るべく構成してある。【選択図】        図１
2009165358.tif 000002
【特許請求の範囲】
【請求項１】
釣り糸が取り付けられる糸取付部とその糸取付部を支持する基端部とを備えた糸取付部材を設け、穂先竿の竿先端に取り付け固定してある保持用ホルダーで、前記基端部をその基端部の軸線回りで回動自在に支持して前記糸取付部材を前記保持用ホルダーで保持してある釣り竿であって、
前記穂先竿を前記二番竿内に収納した状態で、前記糸取付部が二番竿の外方に位置し前記穂先竿の竿尻端が前記二番竿の竿尻端より穂先側に位置するように、前記保持用ホルダーを受止規制する受止規制機構を、前記保持用ホルダーと前記二番竿とに形成してある釣り竿。
【請求項２】
前記受止規制機構を、前記保持用ホルダーの外周面に形成した段差部と、前記二番竿における前記段差部が当接する竿先端面とで構成してある請求項１記載の釣り竿。
【請求項３】
前記受止規制機構を、前記保持用ホルダーの外周面に形成した竿尻端側ほど小径となる傾斜面部と、前記二番竿における前記傾斜面部が内嵌合する竿先端部とで構成してある請求項１記載の釣り竿。
【発明の詳細な説明】
【技術分野】
【０００１】
本発明は、釣り糸が取り付けられる糸取付部とその糸取付部を支持する基端部とを備えた糸取付部材を設け、穂先竿の竿先端に取り付け固定してある保持用ホルダーで、前記基端部をその基端部の軸線回りで回動自在に支持して前記糸取付部材を前記保持用ホルダーで保持してある釣り竿に関する。
【背景技術】
【０００２】
上記のように、糸取付部材を、保持用ホルダーを介して穂先竿に取り付けている渓流竿等においては、穂先竿、中竿を元竿内に収納した状態では、少なくとも、糸取付部材と保持用ホルダーとが、二番竿の竿先端部から突出する状態でなければならない。
そうでなければ、二番竿から穂先竿を引き出す際に、穂先竿の先端に取り付けられた保持用ホルダーを摘んで引き出す操作が行えず、操作性が悪い。
一方、穂先竿、中竿を元竿内に収納した状態では、穂先竿の竿尻端、及び、中竿の竿尻端は、元竿の竿尻端近くに設けられた竿受用の座ゴム等に当接した状態にある必要がある。
そうすると、穂先側の保持用ホルダーは二番竿の竿先端より突出する状態でありながら、竿尻端は座ゴムに当接する状態を維持する必要があるところから、穂先竿の竿長は、二番竿に匹敵する長さを必要としていた（例えば特許文献１参照）。
【特許文献１】実登第２５０６４７４号（公報第３頁第６欄の第１行目〜第１０行目、図１，４）
【発明の開示】
【発明が解決しようとする課題】
【０００３】
上記の構成では、穂先竿が二番竿と同等の長さに作られる必要がある。
そうすると、上記したように、穂先竿の竿先端に取り付けられている糸取付部材に釣上げる魚の荷重や仕掛けの荷重が作用する釣り竿においては、穂先竿の長さが長くなっているので、魚を釣上げる操作を行う際に、穂先竿が撓みを生じ易く、釣上げるのに難儀することがあった。
【０００４】
本発明の目的は、糸取付部材に簡単な改良を施すことで、穂先竿の短縮化を達成して、釣り操作を行い易く、抜き上げ力の大きな釣り竿を提供する点にある。
【課題を解決するための手段】
【０００５】
〔構成〕
請求項１に記載の本願発明の特徴構成は、前記穂先竿を前記二番竿内に収納した状態で、前記糸取付部が二番竿の外方に位置し前記穂先竿の竿尻端が前記二番竿の竿尻端より穂先側に位置するように、前記保持用ホルダーを受止規制する受止規制機構を、前記保持用ホルダーと前記二番竿とに形成してある点にあり、その作用効果は次の通りである。
【０００６】
〔作用〕
つまり、穂先竿を二番竿に収納した状態で、保持用ホルダーが受止規制機構の作用で二番竿に受止られて、糸取付部が二番竿の外方に位置することとなる。これによって、この糸取付部を摘んで穂先竿を二番竿より引き出すことができる。
したがって、穂先竿は二番竿に支持されることとなるので、二番竿に収納した状態で穂先竿の竿尻端を座ゴム等に当てつける必要はない。
そうすると、穂先竿の竿長は、座ゴムに届く程の長さは必要ではなく、二番竿より短い長さのものでよい。
【０００７】
〔効果〕
その結果、穂先竿が二番竿より短い竿長のものとなるので、短くなった分だけ撓みが生じ難くなり、釣上げるのが容易に行えるようになった。
このように、穂先竿が強さを増すことによって、釣り竿の先端に位置する部分であっても、操作性が向上し、力強さを感じ取れる釣り竿を提供できるに至った。
【０００８】
〔構成〕
本発明のうちの請求項２に記載の発明では、上記請求項１に記載の発明において、前記受止規制機構を、前記保持用ホルダーの外周面に形成した段差部と、前記二番竿における前記段差部が当接する竿先端面とで構成してある点にあり、その作用効果は次の通りである。
【０００９】
〔作用効果〕
受止規制機構を構成するに、保持用ホルダーの外周面に段差部を形成するだけの改良によって、その段差部を二番竿の竿先端面に当て付けるだけで穂先竿を二番竿に受止させることができる。
したがって、受止規制機構として、簡単な構造によって達成することができた。
【００１０】
〔構成〕
請求項３に係る本願発明の特徴構成は、上記請求項１に記載の発明において、前記受止規制機構を、前記保持用ホルダーの外周面に形成した竿尻端側ほど小径となる傾斜面部と、前記二番竿における前記傾斜面部が内嵌合する竿先端部とで構成してある点にあり、その作用効果は次の通りである。
【００１１】
〔作用効果〕
保持用ホルダーを内嵌合する二番竿の竿先端部の内径に予定寸法より多少ズレがあったとしても、それを修正する必要はなく、傾斜面部が穂先竿の軸線方向に変位するだけで適応することができ、内径寸法が管理し難い二番竿の竿先端部を受止規制機構の一方の構成品として利用することが容易に行えるようになった。
【発明を実施するための最良の形態】
【００１２】
〔第１実施形態〕
図１には鮎竿や渓流竿などの釣り竿１が示されており、この釣り竿１は、先細りの中実棒状に形成した穂先竿２の先端部に、釣り糸３が取り付けられる糸取付部材４を、釣り竿１の軸線Ｘ周りに相対回動可能に備えて構成されている。
【００１３】
図示は省略するが、穂先竿２は、軸線に沿って束ねたガラス強化繊維の束（５００本〜１０００本）に、熱硬化性樹脂を含浸させた後、ダイスより引き抜き、所定長さに裁断して中実棒状に形成し、その先端側ほど細くするための研削加工などを施して形成されている。
【００１４】
ところで、穂先竿２の素材には、炭素繊維などを採用することも可能であるが、ここでは炭素繊維などに比較して弾性率が低く、柔軟性及び靱性の高いガラス繊維を採用してある。
【００１５】
図１〜３に示すように、糸取付部材４は、ステンレス又はアルミニウムなどの金属製で、釣り糸３が結び付けられる小径円柱状の糸取付部４Ａと、この糸取付部４Ａからの釣り糸３の抜け落ちを防止する一対の抜止部４Ｂと、穂先竿２に連結される大径円柱状の基端部４Ｃとを有するように形成されており、その基端部４Ｃが、樹脂などで筒状に形成された保持用ホルダー５を介して穂先竿２に連結されている。
【００１６】
図１に示すように、保持用ホルダー５は、その先端部に、糸取付部材４の糸取付部４Ａが挿通される挿通孔５Ａと、糸取付部材４の基端部４Ｃを抜け止め保持する保持部５Ｂとを備え、その先端部に糸取付部材４の基端部４Ｃを内嵌させた状態で、その竿元側を穂先竿２の先端側に外嵌した後、その嵌合部の所定箇所が、穂先竿２に形成した一対の凹部２Ａにカシメ処理によって係入されることで、穂先竿２の先端部に糸取付部材４を釣り竿１の軸線Ｘ周りに相対回動可能に連結保持する。
保持用ホルダー５としては、アルミニュウムやチタン等の軽量金属の他、ＡＢＳ、ジュラコン等のプラスティック成形品が使用される。
【００１７】
保持用ホルダー５の内部において、穂先竿２の先端と糸取付部材４の基端部４Ｃとの間には、糸取付部材４の回転抵抗を低減させる硬質のボール６が介装されている。
【００１８】
図１に示すように、保持用ホルダー５の保持部５Ｂを軸線方向に厚みを持ったものに形成するとともに、保持部５Ｂの外周面に、大径の受止リング部５Ｄを嵌着してあり、保持用ホルダー５の外周面に外嵌された受止リング部５Ｄの竿尻側に向かう端面５ｄで、段差部ａを形成してある。
【００１９】
以上のような構成になる保持用ホルダー５を穂先竿２の先端に取り付けた状態で、穂先竿２を二番竿７内に収納すると、保持用ホルダー５の受止リング部５Ｄの端面５ｄが二番竿７の竿先端面７ａに当接することによって、保持用ホルダー５の二番竿７内への入り込みが制限される。糸取付部材４の糸取付部４Ａは二番竿７内から突出する状態にある。
受止リング部５Ｄの材料としては、樹脂や金属何れでもよく、金属であれば軽量化の図れるアルミニュウムやチタン等を選定するのがよい。
ここに、受止リング部５Ｄの端面５ｄが形成する段差部ａと二番竿７の竿先端面７ａとで、保持用ホルダー５を受止規制する受止規制機構Ａを構成する。
【００２０】
穂先竿２の構成について説明する。図１（ａ）に示すように、竿先端に保持用ホルダー５を取り付けた穂先竿２は、二番竿７内に収納された状態では、その竿尻端を二番竿７の竿尻端よりは竿先側に位置するように、短竿長に構成してある。具体的には、二番竿７の半分から３分の１の竿長とするのが望ましい。
このように、穂先竿２を短くできるので、竿の振り出し等を容易に行えるようになり、竿の反発力が高められる等の効果がある。
【００２１】
図１に示すように、糸取付部材４の糸取付部４Ａに外嵌してあり、保持用ホルダー５の竿先端面に接触する状態で設けてあるのは、摩擦低減ワッシャ９であり、糸取付部４Ａに装着された釣り糸３が保持用ホルダー５の前端面と直接接触しない構成を採っている。
【００２２】
尚、図１（ｂ）に示すように、穂先竿２を二番竿７より引き出した状態では、穂先竿２の竿尻端部２Ｂが二番竿７の竿先端の内周面に圧接して、穂先竿２が伸長状態で固定されるように構成してある。
【００２３】
〔第２実施形態〕
ここでは、糸取付部材４として、リリアン製の糸取付部４Ａを採用したものについて説明する。図２に示すように、糸取付部材４を、リリアン製の糸取付部４Ａと、保持用ホルダー５内に収納された円盤状の基端部４Ｃと、基端部４Ｃから竿先側に向けて延出された棒状の連結部４Ｄとで構成し、連結部４Ｄの先端部分に膨出部４ｄを形成して、糸取付部４Ａを膨出部４ｄに外嵌接着固定してある。
【００２４】
基端部４Ｃと保持用ホルダー５の保持部５Ｂの内周壁面との間には、Ｏリング等の摩擦低減部材８が装着してあり、糸取付部４Ａが基端部４Ｃの軸線回りで円滑に回転できるように構成してある。
保持用ホルダー５の保持部５Ｂの外周面には、第１実施形態で示したと同様の受止リング部５Ｄが外嵌接着固定してある。
【００２５】
〔第３実施形態〕
ここでは、第１実施形態に類似した別実施形態について説明する。保持用ホルダー５の外周面に、竿尻端側ほど小径となる傾斜面部５Ｅを形成する。二番竿７には、傾斜面部５Ｅが内嵌合する竿先端部７Ａが構成してあり、竿先端部７Ａは、通常の製造方法で形作られる二番竿７の竿先端部である。
【００２６】
このように、保持用ホルダー５の外周嵌合面を傾斜面部５Ｅに構成することによって、二番竿７の竿先端部７Ａの内径が摩滅等により大径化したとしても、保持用ホルダー５を受け止めることができる。
傾斜面部５Ｅの形状としては、階段状に外径が変化する複数の段差を有するものでもよい。
【００２７】
〔別実施形態〕
〔１〕保持用ホルダー５としては、保持部５Ｂと受止リング部５Ｄとを樹脂等で一体形成してもよい。
【００２８】
〔２〕糸取付部材４に採用する材質として種々の変更が可能であり、例えば、金属材の他に硬質樹脂材などを採用するようにしてもよい。
【図面の簡単な説明】
【００２９】
【図１】（ａ）保持用ホルダーに装着した受止リング部が二番竿の竿先端面に受止られている状態を示す縦断側面図、（ｂ）穂先竿が二番竿より引きだれた状態を示す縦断側面図
【図２】糸取付部材としてリリアン製の糸取付部材を採用したものに、図１の受止規制機構を適用した状態を示めす縦断側面図
【図３】保持用ホルダーの外周面に傾斜面部を形成したものを、二番竿内に収納した状態を示す縦断側面図
【符号の説明】
【００３０】
２    穂先竿
３    釣り糸
４    糸取付部材
４Ａ  糸付部
４Ｃ  基端部
５    保持用ホルダー
５Ｅ  傾斜面部
７    二番竿
７Ａ  竿先端部
７ａ  竿先端面
Ａ    受止規制機構
ａ    段差部
Ｘ    軸線
【図１】
2009165358.tif 000003
【図２】
2009165358.tif 000004
【図３】
2009165358.tif 000005